(57)【要約】  ドアおよび機器上のハンドルを介して殺菌流体を注出するための器具および方法、ならびに、手の殺菌に関連するデータおよび記録事象が開示される。【選択図】図１
2015529764.tif 000002
【特許請求の範囲】
【請求項１】
殺菌流体を注出するための器具であって、
２つの端部を有するハンドルであって、該ハンドルがドアに装着するようになっている、ハンドルを備え、前記ハンドルは、
前記ドアの少なくとも１つの端部に配置される少なくとも１つの支柱と、
プッシュトリガーであって、ユーザが前記ハンドルを握ることと前記プッシュトリガーを操作することとを同時に容易に行なえないように前記少なくとも１つの支柱と隣り合って配置される前記プッシュトリガーと、
前記ハンドル内に配置されるとともに殺菌流体を収容するようになっているカートリッジと、
前記カートリッジと流体連通する押し潰し可能なポンプと、
を備え、
ユーザは、手で前記プッシュトリガーを操作して、殺菌流体が前記カートリッジから前記トリガーを操作する手に出されるようにする、
器具。
【請求項２】
電子制御回路を更に備え、前記電子制御回路は、
金属ストリップと、
前記金属ストリップと電子的に通信するとともに、前記少なくとも１つの支柱内に配置される回路基板であって、該回路基板が、電子メモリと、電源に接続されるプロセッサとを含み、前記ハンドルが握られると、電子監視システムが、キャパシタンスの変化を認識して、随意的に前記電子メモリに記録される記録事象を示す信号を前記プロセッサへ送る、前記回路基板と、
を備える、請求項１に記載の器具。
【請求項３】
前記器具内の殺菌剤カートリッジの存在を示すためのスイッチを更に備える、請求項１に記載の器具。
【請求項４】
前記プッシュトリガーの動きを示すためのスイッチを更に備える、請求項１に記載の器具。
【請求項５】
前記ハンドル上の手を検出し、それにより、記録事象を示すために使用される電気機械感知器具を更に備える、請求項１に記載の器具。
【請求項６】
制御回路と、近接場型通信電子チップまたはＢｌｕｅｔｏｏｔｈ（登録商標）装置のうちの少なくとも一方とを更に備える、請求項１に記載の器具。
【請求項７】
スピーカーまたは視覚ディスプレイのうちの少なくとも一方を更に備える、請求項２に記載の器具。
【請求項８】
前記ドアハンドルを引くことにより、ドアハンドル使用、殺菌剤注出、または、前記カートリッジ内に残っている殺菌剤の現在のレベルを含む少なくとも１つの記録事象に関連するデータを制御回路が送信する、請求項１に記載の器具。
【請求項９】
前記プッシュトリガーと隣り合う装着支柱の位置は、前記ハンドルを引くために使用される手が前記プッシュトリガーを操作するために使用される手によって使用されることを妨げ、それにより、殺菌剤のこぼれが防止される、請求項１に記載の器具。
【請求項１０】
前記プッシュトリガーは、前記ドアハンドルの底部に配置されるとともに、前記トリガーを操作することにより掌に注出する流体を受けるために掌をカップの形にして上方へ向けた状態で手の掌の付け根を使用することをユーザに促すように凹形状を備える、請求項１に記載の器具。
【請求項１１】
前記データまたは前記記録事象は、コンピュータ、携帯端末、アイパッド（登録商標）、または、スマートフォンのうちの少なくとも１つへ送信される、請求項８に記載の器具。
【請求項１２】
前記少なくとも１つの記録事象は、聴覚的警報または視覚的警報のうちの少なくとも１つによって知らされる、請求項８に記載の器具。
【請求項１３】
前記ドアは、電気的に作動される掛け金、磁気回路、または、電子回路のうちの少なくとも１つによって閉じられたまま維持され、殺菌事象のための信号も電気回路または電子回路へ送られ、それにより、部屋へのアクセスドアであろうと機器のドアであろうと、回路の閉鎖または開放によって前記ドアを開放することができる、請求項８に記載の器具。
【請求項１４】
前記データは、前記コンピュータ、前記携帯端末、前記アイパッド（登録商標）、または、前記スマートフォンのうちの少なくとも１つでカウントされて照合されるとともに、前記カートリッジの殺菌剤が残り少なくなっている時期、殺菌剤使用量の割合、または、殺菌事象のうちの少なくとも１つを示し、それにより、前記カートリッジの交換または前記カートリッジの発注の日取りを標的にする、請求項１１に記載の器具。
【請求項１５】
ドアハンドル使用および殺菌剤注出記録事象の両方が認識されなければ殺菌剤が前記カートリッジから出されない、請求項１３に記載の器具。
【発明の詳細な説明】
【技術分野】
【０００１】
[0001]本発明の実施形態は、一般に医療技術に関し、特に、ハンドルを介して手の殺菌を促すための方法および器具に関する。
【背景技術】
【０００２】
[0002]有害な病気の予防は、政府機関、ならびに、多くの人々がいる会社、法人、多国籍企業、および、他の機関などの様々な事業体における主要な関心事である。特に、病院などの医療施設は、病気の流行中には患者であふれる。また、利用できる医療専門家の力には歪みがでており、更に、これらの正に医療施設で医療関係者および訪問者により感染が広げられる場合がある。生産性の高い仕事や生活環境を確保するため、様々な事業体や政府機関は、有害な病気を引き起こす病原体の広がりを止めるために殺菌流体などの様々な医療技術を使用するが、感染疾患の広がりを解決するこれまでの試みは限られてきた。同様に、医者や医療従事者は、病院の様々な領域で手の殺菌の割合に関連する正確でタイムリーな情報を得ることに奮闘してきた。この情報は、処置を標的にする医療従事者を支援する。
【０００３】
[0003]したがって、当該技術分野においては、院内感染、ならびに、学校、大学、会社、ストアなどで起こる感染を防止するとともに、手殺菌剤の使用に関するフィードバックを与える、および／または、殺菌流体の注出が床上へこぼれずに手の掌にこぼれるように形成される、および／または、使用および適用が容易であるが、必要に応じて、例えばドアを開放するときにユーザが殺菌流体の使用を迂回できる、オーブン、オートクレーブ、冷蔵庫などの医療機器に取り付けられるドア、ならびに、例えば手術室、分娩室、患者診察室、レストルームなどへ入るためのドアに取り付けられるハンドルなどのハンドルを介して殺菌流体を注出するための方法および器具の必要性が存在する。
【発明の概要】
【０００４】
[0004]本発明の実施形態は、ドアを開放するためにハンドルが使用される時期、ならびに、殺菌剤が注出されるかどうか、および殺菌剤が注出される時期、の両方を監視する電子機器も特徴とする、殺菌剤注出ドアハンドルを使用して手を殺菌するための方法および器具を含む。器具は、金属本体またはプラスチック本体と、ハンドルの本体内に嵌まり込むように形成されるカートリッジと、カートリッジをハンドル内に嵌め付けることができるようにするアクセスドアと、押し潰し可能な外殻から形成されるカートリッジ、および、手殺菌剤が充填される押し潰し可能なポンプと、押し潰し可能なポンプを圧縮して手殺菌剤を解放する圧縮可能なトリガー部品とを備える。また、器具は、ハンドル上の手の存在と注出器が起動される時期とを感知して記録する電子回路も備える。感知回路は、例えば、電場を発する導電材料と、注出器具のトリガーに結合される圧力スイッチと、データの記録および照合の両方を行なうとともに、このデータを無線で送信できる制御回路とから構成される。ハンドルの操作は「ドア開放事象」として記録され、また、ハンドルの動作は「手殺菌事象」として記録される。データは、近接場型通信（ＮＦＣ）有効ＵＳＢフォブを制御回路付近に保持することによって制御回路から読み出すことができる。器具が設置される施設でより良い感染制御を容易にするために、データは、ＵＳＢへ送信された後、コンピュータへ配置することができ、コンピュータではデータをウェブサイトにアップロードすることができ、ウェブサイトではデータが照合されて提示される。
【０００５】
[0005]手殺菌監視電子機器は、他の手殺菌ドアハンドルの選択によって使用され得る。手殺菌監視電子機器は、本出願において発明として特許請求の範囲に記載されない様々な他の手殺菌ドアハンドルで使用されてもよい。「ドア開放事象」および「手殺菌事象」を記録する論理は、最小の変化をもってこれらの他の繰り返しに送られ得る。例えば、それぞれ参照することによりその全体が本願に組み入れられる２００８年２月１９日に出願された同一出願人による米国特許出願第１２／０７０，４２９号明細書、２０１１年１月１１日に出願された米国特許出願第１２／９３０，６０７号明細書、２０１１年１月１１日に出願された米国特許出願第１２／９３０，６０３号明細書、および、２０１１年１月１１日に出願されて２０１３年４月２日に発行された米国特許第８，４０８，４２３号明細書に開示される技術などの掛け金が付いた手殺菌ドアハンドルにおいては、手がハンドルと出会う導電ストリップによって「ドア開放事象」を示すことができる。同様に、「押し」動作によって操作される手殺菌ドアハンドルにおいては、ユーザがドアを押して開放するときに起こり得る押しプレートと関連付けられるキャパシタンスの変化によって「ドア開放事象」を示すことができる。何れの場合にも、手殺菌監視電子機器の他の要素も同様に作動する。すなわち、「手殺菌事象」が手殺菌パドルに結合され、また、電子機器が同じ方法でデータを記録して中継する。
【０００６】
[0006]ドアハンドルの底部に配置される人間工学的に形成されるトリガー部品は、その輪郭が、手の掌に適合するように形成されるとともに、ノズル、オリフィス、または、トリガー部品の開口から上向きの掌へ向けて垂直下方に注出される流体を受けるべく掌を上に向けた状態で手の掌の付け根でトリガー部品を（ドアの方向に）押すように誘導する。そのように形成されることにより、ユーザは、殺菌流体が手の掌に注出され不測のこぼれが回避されるように、自分の手の掌の付け根をトリガー部品に押し込む。その構造は、ユーザが掌の付け根以外によって装置を押す可能性が殆どないようになっている。これは、以下の２つの方法、すなわち、しっかりと握ることができる十分な平坦面が存在しないがために横方向に滑ることから単一の指または親指を置こうとする試みが困難となるように水平方向でトリガー部品の十分な曲率が存在するようにすること、および／または、単一の指よりもむしろ掌の前方への動きによって得ることの方がかなり容易な度合いの力を要すること、のうちの少なくとも一方によって達成される。一方、それ自体が湾曲されて十分なサイズを有する掌の付け根を用いれば、ユーザが指または親指をトリガー部品と正確に接触させることに集中しなければならないという要件が存在しないことは重要ではない。このように、直観的で自然な使用は、掌の付け根がトリガー部品をドアの方へ向けて押圧するとともに、掌が上向きにカップ形状を成す状態を伴うことである。
【０００７】
[0007]器具は、単にドアが開放されようとするだけでは作動しない、すなわち、殺菌流体を解放しない。したがって、それを使用するためには意識的な決定が必要とされるが、一方の手がハンドルを保持してドアを自分の方へ引き寄せるとともに他方の手がトリガー部品をドアの方へ押すという正反対の動作が、満足な配置方法である。これは、ドアをユーザの方へ引き寄せる動きにより、他方の手がトリガー部品により保持固定されれば、殺菌流体が手の掌へ注出されるからである。後述する可動トリガーウェッジなどのトリガー部品は、通常は、明るく着色されるとともに、ハンドルの残りの部分に対してコントラストが付けられて、それにユーザの注意を引くようにして他方の手をそこに置くようにユーザに促す。これに加えてあるいは代えて、流体の解放を表わすロゴまたはアイコン、あるいは、掌を上に向けた状態の手のロゴまたはアイコンをトリガー部品の一体部分として（例えば、射出成型などにより）、あるいは例えばトリガー部品に付着されるフィルムによってトリガー部品上に配置するあるいは表示することができる。ユーザがトリガー部品を使用してドアを引いて開放する場合には、トリガー部品は殺菌流体を注出しない。つまり、トリガー部品は、それが押される場合にだけ機能する。一般に、トリガー部品と共に使用されるドアは、スイングドアではなく、それらが外側に開放する、すなわち、ドアを開ける人へ向けて開放するドアである。これは、人が非臨床環境から更に臨床的な環境に、すなわち、病院の廊下から患者の部屋または手術室に移動しているからである。そのような状況において、トリガー部品は、そのような環境内へ入る人に自分の手を殺菌するように促すべく形成される。
【０００８】
[0008]本発明の先に挙げられた特徴を細部にわたって理解できるように、その一部が添付図面に示される実施形態を参照して、先に簡単に要約された発明を更に詳しく説明する。しかしながら、本発明が他の同様に有効な実施形態を受け入れることができることから、添付図面がこの発明の単なる典型的な実施形態を例示するにすぎず、したがって、添付図面が本発明の範囲を限定すると見なされてはならないことに留意すべきである。
【図面の簡単な説明】
【０００９】
【図１】本発明の少なくとも１つの実施形態にしたがって使用される手の殺菌を促すための装置の斜視図を描く。
【図２】本発明の実施形態にしたがって使用される手の殺菌を促すための図１の装置の斜視図を描く。
【図３】制御回路と関連するスイッチおよび感知機器とを示す、本発明の実施形態に係る手の殺菌を促すための装置の部分側面図を描く。
【図４】装置を握る手を描く、本発明の実施形態に係る手の殺菌を促すための図１の装置の側面図を描く。
【図５】描かれた態様でユーザが装置を使用する可能性が低いことを示す、本発明の実施形態に係る手の殺菌を促すための図１の装置の側面図を描く。
【図６】本発明の少なくとも１つの実施形態の斜視図を描く。
【図７】図６の線７−７に沿ってとられた断面図を描く。
【図８】本発明の実施形態に係る他の手殺菌ドアハンドルの斜視図を描く。
【図９】図８の手殺菌ドアハンドルの平面図を描く。
【図１０】図８のハンドル部分８０９の側面図を描く。
【発明を実施するための形態】
【００１０】
[0019]図１は、本開示の少なくとも１つの実施形態にしたがって、使用される手の殺菌を促すための装置１０の斜視図を描く。ドアハンドル５０が例えば掛け金が無いドア１００に装着されるが、ドア１００は、マグネット、電気回路、または、当業者に知られるような他のシール・ドア固定機構によって解放可能に閉じられたままであってもよい。また、ドア１００は、当業者に知られるような電気信号によって作動される掛け金を備えてもよい。ドア１００は、例えば、手術室、分娩室、患者診察室、レストルームなどへ入るためのドアであってもよい。あるいは、ドアハンドル５０は、オーブン、オートクレーブ、冷蔵庫などの機器および医療器具に取り付けられてもよい。ユーザの手１０１は、ドアハンドル５０を握って、掛け金が無いドア１００をユーザの方へ引き寄せてドア１００を開放できるようにするために使用される。ユーザの他方の手１０２は、可動ウェッジトリガー１０３の近傍において、ドアハンドル５０の下側で見ることができる。
【００１１】
[0020]可動ウェッジトリガー１０３の形状および形態は、可動ウェッジトリガー１０３を押すために指または親指を使用しようとする試みが、手１０２の掌を可動ウェッジトリガー１０３の真下で上向きに配置させることよりも相対的にかなり困難であることを意味するように、水平方向で十分に窪んでいる。また、可動ウェッジトリガー１０３がハンドル５０の底部に配置されるため、掌が下方に面する位置または横向き位置に配置されない。手１０２がこの方向にある間、この手は、理想的には、この手の掌の付け根が手１０１の掌の付け根とは反対の方向１２０で可動ウェッジトリガー１０３を押圧しながら、アルコールジェルまたは泡などの殺菌流体１１０が後述するようにノズルからこの手の掌に出されるべく配置される。押し／引き動作は、手１０２の掌への殺菌流体の注出を容易にすると同時に、例えば床上への殺菌流体１１０のこぼれを回避する。また、可動ウェッジトリガー１０３とドアハンドル５０との間のハンドル５０の支柱３０３は、手が以下の図５に示される態様で配置された状態でトリガーを起動させるために以下の図で述べられる態様で手１０２がトリガー１０３の周囲で屈曲することが難しいような十分なサイズおよび体積を有する。
【００１２】
[0021]図２は、本発明の実施形態にしたがって使用される手の殺菌を促すための図１の装置１０の斜視図を描く。装置１０は、一般的な掛け金が無いドア１００に取り付けられ得る。幾つかの実施形態において、装置１０は、例えば、ねじおよびボルト、リベット、または、接着剤を使用して取り付けられる。アルコール流体、ジェルまたは泡、あるいは、他の殺菌性の、殺ウイルス性の、または、殺生性の物質、および、これらの混合物などの殺菌流体を収容するカートリッジ２０１が、１つの縁部２０５でヒンジ結合される前方に面するドア２０４を用いて、ドアハンドル５０の本体内に組み込まれる。カートリッジ２０１の下面は、例えば天然ゴムまたは合成ゴム、ポリブタジエン、ビニル、および／または、他の柔軟なエラストマー材料などのエラストマー材料から形成されてもよい、例えば参照することによりその全体が本願に組み入れられる米国出願第１２／９１８，０６２号に開示される押し潰し可能なポンプ２０６を特徴とする。押し潰し式ポンプ２０６は、カートリッジ２０１に嵌め付けられて、カートリッジ２０１と流体連通する。押し潰し可能なポンプ２０６は、ハンドル５０内に嵌め込まれた固定ウェッジ２０７と可動ウェッジトリガー１０３との間に配置される。可動ウェッジトリガー１０３がユーザの手によって押圧されると、押し潰し可能なポンプ２０６が可動ウェッジトリガー１０３と固定ウェッジ２０７とによって圧縮され、それにより、上方のカートリッジからの殺菌剤が、押し潰し可能なポンプ２０６の末端のノズルから、ユーザの手（図示せず）に移送される。また、スピーカー、ＬＣＤディスプレイ、および、任意の関連するＮＦＣ送信機器を含む手殺菌監視装置、マイクロコントローラ、電子メモリ、ならびに、同様のものを装置１０と共に備えて組み込むことができる。
【００１３】
[0022]図３は、制御回路と関連するスイッチおよび感知機器とを示す、本発明の実施形態に係る手の殺菌を促すための図１の装置１０の部分側面図を描く。金属ストリップ３０１を装置の内側で見ることができる。幾つかの実施形態において、金属ストリップ３０１は、例えば、アルミニウム、アルミニウム合金、真鍮、ステンレス鋼などを備えて、ハンドル５０の長さの少なくとも一部分にわたって延びる。同様に、金属ストリップがハンドルの一体部分であってもよく、あるいは、前述したようにハンドルが任意の金属構造を成す場合には、金属ストリップがハンドル自体であってもよく、幾つかの実施形態では、金属ストリップ３０１がハンドル５０の全長を横切る。金属ストリップ３０１は、装置をドア１００（図示せず）に取り付ける下側支柱３０３内に配置される回路基板３０２と電子通信状態にある。回路基板３０２は、電子メモリ３０４と、システム３０６に電力を供給するセルバッテリーまたは交流源などの電源に接続されるプロセッサ３０５とを含む。電力は、金属ストリップ３０１を通じて、該金属ストリップを回路基板３０２と接続する配線を介して伝えられる。ハンドル５０が手によって握られると、システムは、キャパシタンスの変化を認識して、「ドア開放事象」を表わす信号をプロセッサ３０５へ送り、この信号は、その後、電子メモリ３０４に記録される。幾つかの実施形態では、装置１０が水平姿勢で機器ドアに配置される。そのような実施形態において、可動ウェッジトリガー１０３の動作軸線は、随意的には、殺菌剤が垂直に出されるように９０°回転される（図示せず）。あるいは、押し潰し可能なポンプ２０６と流体連通して殺菌剤をそこから流出させるノズル、オリフィス、または、開口３１０（図示せず）が、ユーザの手に殺菌剤が落ちるように配置されてもよい。
【００１４】
[0023]また、装置は、随意的には、ハンドル５０の本体に配置される「殺菌事象」スイッチ３０７も特徴とする。可動ウェッジトリガー１０３が押されると、押し潰し可能なポンプ２０６が圧縮され、それにより、殺菌流体、ジェル、または、泡がユーザの手（図示せず）に送出される。その後、「殺菌事象」スイッチ３０７が起動され、それにより、信号が制御回路３０２（該制御回路には配線によってスイッチが接続される）に送られて、該信号が「殺菌事象」としてメモリ３０４に記録される。幾つかの実施形態では、殺菌事象のための信号が電気回路または電子回路へも送られ、それにより、部屋へのアクセスドアであろうと機器のドアであろうと、回路の閉鎖または開放によってドアを開放することができる。幾つかの実施形態では、ハンドル５０が手によって握られなければ、殺菌事象スイッチ３０７が起動されない。ハンドルが握られると、前述したようにシステムがキャパシタンスの変化を認識し、また、キャパシタンスの変化は、可動ウェッジトリガー１０３に対する手の接触によって感知され、その後、システムは、信号をプロセッサ３０５へ送る。新たな殺菌剤カートリッジ２０１が装置内に配置されると、配線を介して回路基板３０２に接続される第３の「カートリッジ嵌め付け」スイッチ３０８が押圧され、信号が制御回路３０２へ送られる。殺菌剤カートリッジ２０１が取り除かれると、「カートリッジ嵌め付け」スイッチ３０８が解放されて、「カートリッジ除去」事象を示す信号が制御回路３０２へ送られる。それぞれの「ドア開放事象」、「殺菌事象」、「カートリッジ嵌め付け事象」、および、「カートリッジ除去事象」の正確な時間は、制御回路３０２によって記録される。全てのデータは、ＮＦＣ有効ＵＳＢフォブ（図示せず）を回路基板３０２のＮＦＣ送信部分３０９付近に配置することによって装置から読み出すことができる。幾つかの実施形態では、データがＢｌｕｅＴｏｏｔｈ（登録商標）技術によって送信される。このようにすると、例えばコンピュータ、ＰＣ、スマートフォン、アイパッド（登録商標）、および、他の携帯端末（ＰＤＡ）で任意の送信データを照合して見ることができ、この場合、感染予防要員は、異なる時間に手の殺菌の程度を理解するためにデータを使用できる。また、データは、カートリッジの殺菌剤が残り少なくなっている時期を示すとともに殺菌剤が使用される全体の割合を示すために使用することもでき、それにより、カートリッジを交換するための日取りを標的にできるとともに、殺菌剤カートリッジの更に容易で時宜を得た補給または発注を行なうことができる。本発明の幾つかの実施形態において、前述したようなコンピュータまたはＰＤＡは、使用済みのカートリッジを交換できるように在庫からの他のカートリッジの配送を注文するために、あるいは、代わりに、カートリッジの在庫が設定ポイント未満に落ち込むときに販売注文が出されるべくカートリッジの使用量をカウントして追跡するために、信号を他のコンピュータへ送ることができる。
【００１５】
[0024]また、幾つかの実施形態において、殺菌スイッチ３０７は、ハンドル５０が取り付けられるドアが開放できるようにする信号も制御回路３０２へ送る。言い換えると、電気回路または電子回路やマグネット等によって閉じられたまま維持されるドアなど、掛け金が無いドアにおいては、殺菌事象が起こらなければ、幾つかの実施形態では掛け金が無いドアであるドアをユーザが開放することができない。
【００１６】
[0025]図４は、装置１０を握る手を描く、本発明の実施形態に係る手の殺菌を促すための図１の装置１０の側面図を描く。ハンドル５０は、手が可能な限り可動ウェッジトリガー１０３の近くにあるように示される。可動ウェッジトリガー１０３および支柱３０３の形状および形態は、ユーザが片手でドア（図示せず）を自分の方へ向けて引くと同時に可動ウェッジトリガー１０３を押圧することができないようになっている。したがって、線４２０よりも下側で、ハンドル５０が終わって、支柱３０３が始まる。言い換えると、この構造により、ユーザは、片手だけを使用してドアを開放すると同時に可動ウェッジトリガー１０３を作動させることができない。したがって、不適切な使用およびこぼれの可能性が大いに減少される。
【００１７】
[0026]図５は、描かれた態様でユーザが装置を使用する可能性が低いことを示す、本発明の実施形態に係る手の殺菌を促すための図１の装置１０の側面図を描く。言い換えると、図５は前述したポイントを示す。手は、手１０２であろうと左手（図示せず）であろうと、支柱３０３の周囲で良好な握り方をすることができない。支柱３０３は、線３２０により形成される平面よりも下側でハンドルの閉じられた握持を妨げ、したがって、手が横からハンドル５０の方に向くようにユーザがハンドル５０を握って引こうとする気を強く削ぐ。そのような態様でハンドル５０を掴み取ると、ぎこちない握り方に起因して、ドアが開放される間、例えば殺菌流体が床上またはカウンター上に注出される。同様に、ハンドル５０の底部分を握るための人間工学的な方法の欠如は、殺菌流体を適切に受けるようになっている（前述したような）手の適切な位置を促す。
【００１８】
[0027]図６は、本発明の少なくとも１つの実施形態の斜視図を描く。図６は別のハンドル装置６５０を示す。装置６５０は、幾つかの実施形態では前述したような掛け金が無いドアであるドア６０２に装着される。装置６５０はハウジング６０１を備え、このハウジング６０１は、後述する構成要素を収容するとともに、ドア６０２に装着することができ、前記構成要素は、一端にノズル７１２を含む注出パドル７０４を「押す」動作によってドア６０２を開放するべく使用され得る。ハウジング６０１は、ドアを押す手の存在を登録する、当業者に知られるような容量性「押し」プレート６０３（例えば、アルミニウムまたはステンレス鋼などの任意の金属から形成され得る）、または他の感圧装置または歪みゲージに接続される。幾つかの実施形態では、例えば永久磁石によって与えられる既知の磁場に最も近い金属の位置の変化を検出するホール効果センサが使用される。本発明の幾つかの実施形態において、ドア６０２は、ドア６０２の押し側に装置６０１を有し、一方、ドア６０２の引き側は、前述したようなドア１００などの引きドアと共に使用される装置を備える。
【００１９】
[0028]図７は、図６の線７−７に沿ってとられた断面図を描く。図６の殺菌装置６５０を構成する構成要素が示される。殺菌流体７０１を手７００に供給するべくハンドルを操作する手７００も見ることができる。注出パドル７０４が手７００の掌の付け根によって押圧されるにつれて、ベアリングシリンダ７０３内に装着されるマグネット７０２が下向きの動きで移動する。注出パドル７０４の押圧により、殺菌流体は、カートリッジ７１１から、チューブ７１３およびノズル７１２を介して、手７００の掌上に移動する。
【００２０】
[0029]マグネット７０２がリードスイッチ７０５の範囲内に入ると、信号が、マイクロプロセッサ７０６へ送られて、回路７０９に搭載されたコンピュータメモリに「殺菌事象」として記録される。ドア６０２が押されると、容量性プレート６０３は、ドア（図示せず）を押す手の存在を感知して、信号を配線７０８を介して回路基板７０７へ中継し、この回路基板で信号が記録されて「ドア開放事象」として保存される。その後、データは、回路７０９に搭載されたチップを介してＮＦＣ装置へ中継され得る。同様に、新たなカートリッジ７１１が殺菌装置７５０内に配置されてスイッチ７１０が押圧されると、「カートリッジ嵌め付け」事象が記録される。空のカートリッジが除去されてスイッチ７１０が解放されると、「カートリッジ除去」事象が記録される。このようにすると、前述したＰＣまたはＰＤＡのソフトウェアを使用して、アップロードされたＮＦＣデータを解析し、手の殺菌の程度、手の殺菌剤の使用量の割合を決定できるとともに、更なる殺菌剤が必要とされる時期を知らせることもできる。
【００２１】
[0030]図８は、本発明の実施形態に係る別の手殺菌ドアハンドルの斜視図を描く。図８は、共通の掛け金ドアの標準的な掛け金機構に取り付けられるべき手殺菌監視装置（前述した手殺菌監視電子機器を特徴とする）８０１に結合される手殺菌ドアハンドル８００（参照することによりその全体が本願に組み入れられる米国特許出願第１２／９３０，６０３号明細書に開示される）を描く。本開示の実施形態において、手殺菌監視電子機器は、手殺菌ドアハンドルに接続される別個のディスプレイユニット内に装着される。殺菌流体を収容するカートリッジ８０３が殺菌剤注出装置内に組み込まれる。ハンドル８０６の端部が回転されると、殺菌剤トリガー８０７が押圧され、それにより、装置が起動されて、殺菌剤が内部スプレー（図示せず）を介して手に送出される。トリガーは、手によって押圧されると、ハンドルの内側の「殺菌事象」スイッチ（図示せず）も押圧する。このスイッチは、ケーブル８０８を介して、ドアの上側に装着される手殺菌監視装置８０１に接続され、また、この装置の内部手殺菌監視回路は、スイッチが押圧されるときに「殺菌事象」を記録する。ハンドル部分８０９は帯電され、それにより、手がハンドルを握ると、キャパシタンスの差が検出されて、手殺菌監視装置８０１内に収容される手殺菌監視電子機器に信号がケーブル８０８を介して送られ、そこで信号が「ドア開放」事象として記録される。手殺菌監視装置は、前述した手殺菌監視電子機器の他の明示で説明されるように、ドア開放事象を殺菌事象と関連付けることができるようにするマイクロコントローラ（図示せず）および電子メモリ（図示せず）を含む。同様に、手殺菌監視装置８０１は、随意的に、このデータを携帯電話またはコンピュータなどの外部装置へ送信することができる前述したＮＦＣ送信機器（図示せず）を備え、外部装置は、その後、データを更に照合して提示することができる。手殺菌監視装置８０１は、結果を視覚および聴覚の両方で発するために使用されるスピーカー８１０およびＬＣＤディスプレイ８１１を含んでもよい。また、スピーカー８１０およびＬＣＤディスプレイ８１１を含む手殺菌監視装置８０１、および、任意の関連するＮＦＣ送信機器、マイクロコントローラ、電子メモリ等は、図２および図７のハンドルなどの本明細書中に開示されるハンドルのための任意の他の実施形態の中に備えられて組み込まれ得る。
【００２２】
[0031]図９は、図８の手殺菌ドアハンドルの平面図を描く。図８は、手殺菌監視電子機器がどのように手殺菌ドアハンドルと相互に作用するのかを示す。手殺菌ドアハンドル部分８０９は、手殺菌監視電子機器が設けられる同一出願人による米国特許出願第１２／９３０，６０３号明細書に開示されるような内側細部を伴って示される。殺菌剤トリガー８０７は「殺菌事象」スイッチ９０１の真上に配置される。殺菌剤トリガー８０７が押圧されると、「殺菌事象」スイッチ９０１が押圧され、それにより、信号がケーブル８０８を介して手殺菌監視装置（図示せず）内に装着される手殺菌監視電子機器（図示せず）へ送られる。ハンドル部分８０９を前述した手殺菌監視装置（図示せず）に対してケーブル８０８により電子的に接続するために端子９０２が使用される。システムは、ハンドルの本体８０９が握られるときにキャパシタンスの変化を検出し、これは「ドア開放事象」として登録される。また、この端子は、ケーブル８０８によって手殺菌監視電子機器にも接続される。
【００２３】
[0032]図１０は、図８のハンドル部分８０９の側面図を描く。手殺菌ドアハンドル８００は、手殺菌監視電子機器が設けられる同一出願人による米国特許出願第１２／９３０，６０３号明細書に開示されるようになっている。図面は、手殺菌監視電子機器がどのように手殺菌ドアハンドルと相互に作用するのかを示す。ハンドルの端部が回転されると、殺菌剤トリガー８０７が回動点１００１の周りで回転し、それにより、殺菌剤トリガースイッチ９０１が起動される。信号がケーブル８０８を介して手殺菌監視電子機器（図示せず）へ送られ、そこで信号が「手殺菌」として記録される。一方、殺菌剤トリガー８０７を押圧することなくハンドル部分８０９が回転される場合には、手の存在がキャパシタンスの変化を引き起こし、この変化は、端子９０２およびケーブル８０８によりハンドル部分８０９に接続される手殺菌監視装置によって検出される。手殺菌監視電子機器は、これを「ドア開放事象」として登録する。このようにすると、前述した同一出願人による米国特許出願第１２／０７０，４２９号明細書、第１２／９３０，６０７号明細書、第１２／９３０，６０３号明細書、および、米国特許第８，４０８，４２３号明細書に開示される技術などの手殺菌ドアハンドルを使用することによりドアを通過して自分の手を殺菌することを選択する人の割合を識別して使用し、病院および感染が問題である他の場所における手殺菌介入を監視して改善することができる。
【００２４】
[0033]以上は本発明の実施形態に向けられるが、本発明の基本的な範囲から逸脱することなく、本発明の他の更なる実施形態が考え出されてもよい。
【図１】
2015529764.tif 000003
【図２】
2015529764.tif 000004
【図３】
2015529764.tif 000005
【図４】
2015529764.tif 000006
【図５】
2015529764.tif 000007
【図６】
2015529764.tif 000008
【図７】
2015529764.tif 000009
【図８】
2015529764.tif 000010
【図９】
2015529764.tif 000011
【図１０】
2015529764.tif 000012
【国際調査報告】
2015529764.tif 000013
2015529764.tif 000014